(57)【要約】【課題】  優れた吸水性能及び速乾性能に加え、肌触りが良く、耐洗濯性にも優れた吸湿速乾糸を含有する下着の付属部分品及びこれらが付設される下着を提供すること。【解決手段】  吸湿機能及び速乾機能を有する吸湿速乾糸を含む下着の付属部分品であって、該吸湿速乾糸が、親水機能を有するセルロースアセテート繊維及びポリエステル繊維を原料とすることを特徴とする下着の付属部分品とする。下着の付属部分品は、少なくとも、マチ部分、パット、レース、コメット、ニードル又はブラジャーの肩ひもの下着本体に付設する繊維構造物である。【選択図】  図１
2008095246.tif 000002
【特許請求の範囲】
【請求項１】
吸湿機能及び速乾機能を有する吸湿速乾糸を含む下着の付属部分品であって、該吸湿速乾糸が、親水機能を有するセルロースアセテート繊維及びポリエステル繊維を原料とすることを特徴とする下着の付属部分品。
【請求項２】
前記下着の付属部分品が、少なくとも、マチ部分、パット、レース、コメット、ニードル又はブラジャーの肩ひもの下着本体に付設する繊維構造物であることを特徴とする請求項１に記載の下着の付属部分品。
【請求項３】
前記吸湿速乾糸が、前記親水機能を有するセルロースアセテート繊維及びポリエステル繊維からなる複合糸であることを特徴とする請求項１又は２記載の下着の付属部分品。
【請求項４】
前記親水機能を有するセルロースアセテート繊維が、平均酢化度４８．８〜５６．２％のセルロースジアセテートであることを特徴とする請求項１乃至３いずれかに記載の下着の付属部分品。
【請求項５】
前記ポリエステル繊維が、カチオン可染型ポリエステル繊維であることを特徴とする請求項１乃至４いずれかに記載の下着の付属部分品。
【請求項６】
前記親水機能を有するセルロースアセテート繊維及びポリエステル繊維が、当該下着の付属部分品を構成する繊維中４０〜１００％含まれることを特徴とする請求項１乃至５いずれかに記載の下着の付属部分品。
【請求項７】
前記吸湿速乾糸が、６０〜３００デジテックスであることを特徴とする請求項１乃至６いずれかに記載の下着の付属部分品。
【請求項８】
付属部分品が付設される下着であって、該付属部分品が請求項１乃至７いずれかに記載の下着の付属部分品であることを特徴とする下着。
【発明の詳細な説明】
【技術分野】
【０００１】
本発明は吸湿速乾糸を含有する下着の付属部分品及びこれらが付設される下着に関し、より詳しくは優れた吸湿機能及び速乾機能に加え、肌触りが良く、耐洗濯性にも優れた吸湿速乾糸を含有する下着の付属部分品及びこれらが付設される下着に関するものである。
【背景技術】
【０００２】
近年、地球温暖化により気温が上昇し、特に都市部ではヒートアイランド現象等も加わり、夏の暑さが厳しくなっている。その反面、環境に配慮したクールビズが取り沙汰され、冷房温度は高めにして涼しい衣服を着用することが推奨されている。また、夏だけでなく他の季節でも、外気と乗り物内や建物内との温度や湿度の差も大きく、衣服によって快適な状態にしようとすることが提案されている。特に、スポーツウェアなどにおいて、吸汗性能及び速乾性能を追求した生地が開発されて用いられている。
【０００３】
吸汗・吸湿機能や速乾機能を有する繊維としては、単糸断面形状をＸ型断面等に加工することによって、高吸水・速乾性を有するポリエステル繊維（例えば、特許文献１参照）などが開示されている。
【０００４】
【特許文献１】特開２０００−２８２３２３号公報
【発明の開示】
【発明が解決しようとする課題】
【０００５】
しかしながら、ポリエステル繊維では吸湿性が充分ではなく肌触り等も満足のいくものではない。このように、従来の吸水・吸湿機能及び速乾機能を付与した繊維製品では、吸水・吸湿機能及び速乾機能が不十分であることに加え、肌触り等の着心地面も満足できるものがなかった。特に、素肌に直接接触し、下着本体の生地よりも肌とより密着するマチ部分、袖刳や足刳に設けられるレース、ブラジャーの肩紐等の下着の付属部分品には、スポーツウェア等よりも、より優れた吸水・吸湿機能及び速乾機能と肌触りの良さを有することが要求される。また、下着の付属部分品は頻繁に洗濯されるものであり、前記機能が繰り返しの洗濯によって低下することがない優れた耐洗濯性も必要とされる。
本発明は上記問題点を解決するために、優れた吸水性能及び速乾性能に加え、肌触りが良く、耐洗濯性にも優れた吸湿速乾糸を含有する下着の付属部分品及びこれらが付設される下着を提供するものである。
【課題を解決するための手段】
【０００６】
請求項１に係る発明は、吸湿機能及び速乾機能を有する吸湿速乾糸を含む下着の付属部分品であって、該吸湿速乾糸が、親水機能を有するセルロースアセテート繊維及びポリエステル繊維を原料とすることを特徴とする下着の付属部分品に関する。
【０００７】
請求項２に係る発明は、前記下着の付属部分品が、少なくとも、マチ部分、パット、レース、コメット、ニードル又はブラジャーの肩ひもの下着本体に付設する繊維構造物であることを特徴とする請求項１に記載の下着の付属部分品に関する。
【０００８】
請求項３に係る発明は、前記吸湿速乾糸が、前記親水機能を有するセルロースアセテート繊維及びポリエステル繊維からなる複合糸であることを特徴とする請求項１又は２記載の下着の付属部分品に関する。
【０００９】
請求項４に係る発明は、前記親水機能を有するセルロースアセテート繊維が、平均酢化度４８．８〜５６．２％のセルロースジアセテートであることを特徴とする請求項１乃至３いずれかに記載の下着の付属部分品に関する。
【００１０】
請求項５に係る発明は、前記ポリエステル繊維が、カチオン可染型ポリエステル繊維であることを特徴とする請求項１乃至４いずれかに記載の下着の付属部分品に関する。
【００１１】
請求項６に係る発明は、前記親水機能を有するセルロースアセテート繊維及びポリエステル繊維が、当該下着の付属部分品を構成する繊維中４０〜１００％含まれることを特徴とする請求項１乃至５いずれかに記載の下着の付属部分品に関する。
【００１２】
請求項７に係る発明は、前記吸湿速乾糸が、６０〜３００デジテックスであることを特徴とする請求項１乃至６いずれかに記載の下着の付属部分品に関する。
【００１３】
請求項８に係る発明は、付属部分品が付設される下着であって、該付属部分品が請求項１乃至７いずれかに記載の下着の付属部分品であることを特徴とする下着に関する。
【発明の効果】
【００１４】
請求項１に係る発明によれば、吸湿機能及び速乾機能を有する吸湿速乾糸が、親水機能を有するセルロースアセテート繊維及びポリエステル繊維を原料とするので、充分に優れた吸湿性能及び速乾性能があり、セルロースアセテート繊維成分による肌触りの良さを有し、耐洗濯性に優れる下着の付属部分品とすることが可能となる。
【００１５】
請求項２に係る発明によれば、前記下着の付属部分品が、少なくともマチ部分、パット、レース、コメット、ニードル又はブラジャーの肩紐の下着本体に付設する繊維構造物であるので、当該下着の付属部分品を付設した下着に優れた吸湿性能及び速乾性能、肌触りの良さ、優れた耐洗濯性を持たせることが可能となる。
【００１６】
請求項３に係る発明によれば、前記吸湿速乾糸が、親水機能を有するセルロースアセテート繊維及びポリエステル繊維からなる複合糸であるので、優れた吸湿性能及び速乾性能、肌触りの良さ、優れた耐洗濯性を有する複合糸を用いて、単独で又は他の繊維からなる糸を混用して下着の付属部分品を作成することができる。
【００１７】
請求項４に係る発明によれば、前記親水機能を有するセルロースアセテート繊維が、平均酢化度４８．８〜５６．２％のセルロースジアセテートであるので、平均酢化度４８．８〜５６．２％のセルロースジアセテートであることにより充分な吸湿性とポリエステル繊維との同色性を良好とすることが可能である。
【００１８】
請求項５に係る発明によれば、前記ポリエステル繊維が、カチオン可染型ポリエステル繊維であるので、アセテート等と複合して常圧でのカチオン染色が可能である。
【００１９】
請求項６に係る発明によれば、前記親水機能を有するセルロースアセテート繊維及びポリエステル繊維が、当該下着の付属部分品を構成する繊維中４０〜１００％含まれるので、優れた吸湿性能及び速乾性能、肌触りの良さ、優れた耐洗濯性を有する吸湿速乾糸の特性を下着の付属部分品に付与することが可能となる。
【００２０】
請求項７に係る発明によれば、前記吸湿速乾糸が、６０〜３００デシテックスであるので、３００デシテックスより太い糸の使用によって下着の付属部分品がごわつく原因となって肌触り等の風合いが硬くなったり、６０デシテックスより細い糸の使用によって該付属部分品が薄くなりすぎて破れやすくなって耐洗濯性に劣ったりすることがなく、優れた吸湿性能及び速乾性能、肌触りの良さ、優れた耐洗濯性を発揮させることが可能となる。
【００２１】
請求項８に係る発明によれば、前記付属部分品が付設される下着であるので、下着に優れた吸湿性能及び速乾性能、肌触りの良さ、優れた耐洗濯性を持たせることができる。
【発明を実施するための最良の形態】
【００２２】
以下、本発明に係る吸湿速乾糸を含有する下着の付属部分品及びこれらが付設される下着について、図面を参照しつつ説明する。
図１は、本発明の実施の形態であるショーツを示し、図２は本発明の実施の形態であるインナーウェアを示す。
【００２３】
本発明に係る下着の付属部分品とは、図１に示すショーツのようなパンティ部を有する下着の股部内側に設けるマチ部分（１）や、図２に示すインナーウェアのような上衣に汗を吸収する目的で取り付ける脇部分のパット（２）や肩部分のパット（３）、装飾、補強、縁取り、ストレッチ性付与等を目的とし、特定の部分の効用を増すために使用するレース（４）、コメット（５）、ニードル（６）やブラジャーの肩紐等の下着本体に付設する繊維構造物をいう。
【００２４】
尚、本発明において下着とは、図１及び図２に示したショーツやインナーウェアのような肌着の他、靴下、手袋、和装用下着、Ｔシャツ、サポーター、腹巻き等の肌に直接つける衣類と定義し、下着の付属部分品は、該下着に付設する繊維構造物全てを指す。
【００２５】
本発明に係る下着の付属部分品の作成に使用する吸湿速乾糸は、吸湿機能及び速乾機能に加え、肌触りが良く、耐洗濯性にも優れることを特徴とする。該吸湿速乾糸としては、親水機能を有するセルロースアセテート繊維及びポリエステル繊維を原料とする糸を例示することができる。
【００２６】
前記吸湿速乾糸は、親水機能を有するセルロースアセテート繊維及びポリエステル繊維からなる複合糸として用いることができる。
【００２７】
また、吸湿速乾糸を複合糸とする場合、親水機能を有するセルロースアセテート繊維としては、平均酢化度４８．８〜５６．２％のセルロースジアセテートを用いることができ、ポリエステル繊維と複合する。平均酢化度４８．８〜５６．２％のセルロースジアセテートであることにより充分な吸湿性とポリエステル繊維との同色性が良好となる。平均酢化度５６．２％を超えると吸湿性が低下し、平均酢化度４８．８％未満ではポリエステル繊維との同色性が悪くなる。
ポリエステル繊維としては、カチオン可染型ポリエステル繊維を用いることが好ましい。
複合は、合撚、エアー混繊、複合仮撚等の方法が挙げられ、均一に混繊するためエアー混繊が好ましい。
【００２８】
前記複合糸は、親水機能を有するセルロースアセテート繊維からなる糸とポリエステル繊維からなる糸とで１００％となるように作成してもよく、また他の繊維からなる糸を混用してもよい。このように作成した複合糸を１００％用いて下着の付属部分品を作成してもよく、さらに他の糸と混用してもよい。
また、前記複合糸は、単独で用いて織編物としてもよいし、他の繊維からなる糸を混用してもよい。例えば、複合糸単独で丸編みにする方法、複合糸を経糸、緯糸に用いた織物とする方法、複合糸とナイロン、綿等を複合した後に丸編みにする方法等を採用することができる。
【００２９】
このような複合糸である吸湿速乾糸は、前述のように親水機能を有するセルロースアセテート繊維及びポリエステル繊維を原料とし、優れた吸湿・吸汗性能及び速乾性能に加え、涼感効果及び良好な制電性能による肌触りの良さを兼ね備える。
該吸湿速乾糸を用いて作成した下着の付属部分品は、吸湿・吸汗性能及び速乾性能に優れ、また心地よい涼感効果が奏され、良好な制電性能が発揮されることによって良好な肌触りとなる。また、このような繊維製品における特性は、繰り返しの洗濯にも低下せず、耐洗濯性に優れるものとなっている。
【００３０】
親水機能を有するセルロースアセテート繊維及びポリエステル繊維と混紡又は混用する他の繊維としては、特に限定されないが、例えば、綿、絹、麻等の天然繊維、ポリエステル、ナイロン、レーヨン、アクリル、ポリウレタン等の化学繊維が挙げられ、好ましくは綿、レーヨン、ナイロン、ポリウレタンを使用する。該他の繊維は、１種を単独で用いてもよく、２種以上を組み合わせて用いてもよい。なお、他の繊維からなる糸と混用する場合、作成する付属部分品は交織又は交編して、全ての生地面に該吸湿速乾糸が織り込まれるようにする。
【００３１】
親水機能を有するセルロースアセテート繊維及びポリエステル繊維を原料とする吸湿速乾糸が、下着の付属部分品を構成する繊維中４０〜１００％含有されることが好ましい。なお、この含有量は、吸湿速乾糸が、親水機能を有するセルロースアセテート繊維及びポリエステル繊維のみからなる複合糸である。該親水機能を有するセルロースアセテート繊維とポリエステル繊維との複合糸が４０％未満の場合、吸湿速乾糸による充分な効果、特に、優れた吸湿性能及び速乾性能が期待できないため好ましくない。
【００３２】
吸湿速乾糸の太さとしては、特に限定されないが、６０〜３００デシテックスの糸を使用するのが好ましい。なお、デシテックスとは糸の太さの単位のことをいい、数字が大きくなるほどその糸は太くなる。
なお、３００デシテックスより太い糸を使用すると、下着の付属部分品がごわつく原因となり、肌触り等の風合いが硬くなるため好ましくなく、６０デシテックスより細い糸を使用すると、該付属部分品が薄くなりすぎるため破れやすくなり、耐洗濯性にも劣るため好ましくない。
【００３３】
上述した如く、親水機能を有するセルロースアセテート繊維及びポリエステル繊維を原料とする吸湿速乾糸を使用して製造した本発明に係る下着の付属部分品は、優れた吸湿性能及び速乾性能に加え、涼感効果及び良好な制電性能による肌触りの良さを兼ね備えるものである。また、このような付属部分品における特性は、使用する吸湿速乾糸の繊維自体が有する特性であるため、繰り返しの洗濯にも低下せず、当該付属部分品は耐洗濯性に優れるものである。
【００３４】
さらに、本発明に係る下着の付属部分品を下着本体に付設したとき、該付属部分品の特性によって、該付属部分品部分が着用感に優れたものとなるため、下着全体としても着用感に優れたものとなる。
なお、下着本体の生地は、従来から用いられている下着の生地でもよいが、本発明において使用する吸湿速乾糸を使用して作成した生地が好ましい。その場合、下着全体に、優れた吸湿性能及び速乾性能に加え、涼感効果及び良好な制電性能による肌触りの良さが付与され、下着全体が耐洗濯性に優れているため、着用感及び耐洗濯性に優れた下着とすることができる。
【００３５】
また、下着の生地は織機、編機（経編機、緯編機）で製造した織・編生地であることが望ましく、例えば、天竺編（平編）、経編、斜文編、リブ編、片袋編、パール編、コード編などが挙げられ、軽くて薄く、適度な伸縮性がある天竺編地を使用するのが好ましい。
【実施例】
【００３６】
以下、本発明の実施例を記載することにより、本発明の効果をより明確なものとする。尚、本発明に係る吸湿速乾糸を使用して作成した下着の付属部分品及びこれらが付設される下着は、以下の実施例に何ら限定されるものではない。
【００３７】
（実施例１）
まず、実施例１として、親水機能を有するセルロースアセテート繊維及びポリエステル繊維からなる複合糸である１００デシテックスの吸湿速乾糸を用いて編機により製造した天竺編地を用いて、パットとシャツ本体を作成した。図２に示すように、該パットを該シャツの肩部分と脇の下部分に装着してインナーウェアを作成した。
【００３８】
（実施例２）
実施例２として、親水機能を有するセルロースアセテート繊維及びポリエステル繊維からなる複合糸である１５０デシテックスの吸湿速乾糸を用いて編機により製造した天竺編地を用いて、パットとシャツ本体を作成した。図２に示すように、該パットを該シャツの肩部分と脇の下部分に装着してインナーウェアを作成した。
【００３９】
（実施例３）
実施例３として、親水機能を有するセルロースアセテート繊維及びポリエステル繊維の複合糸である１００デシテックスの吸湿速乾糸を５０％、ナイロン３０％、ポリウレタン２０％を混用してストレッチレースを製造した。また、親水機能を有するセルロースアセテート繊維及びポリエステル繊維の複合糸である１００デシテックスの吸湿速乾糸を用いて製造した天竺編地を用い、ショーツ本体を作成した。該ショーツ本体及び前記ストレッチレースを用い、図１に示すようなショーツを作成した。
【００４０】
（実施例４）
実施例４として、親水機能を有するセルロースアセテート繊維及びポリエステル繊維の複合糸である１００デシテックスの吸湿速乾糸を１０％、ナイロン８０％、ポリウレタン１０％を混用してストレッチレースを製造した。また、親水機能を有するセルロースアセテート繊維及びポリエステル繊維の複合糸である１００デシテックスの吸湿速乾糸を用いて製造した天竺編地を用い、ショーツ本体を作成した。該ショーツ本体及び前記ストレッチレースを用い、図１に示すようなショーツを作成した。
【００４１】
（実施例５）
実施例５として、親水機能を有するセルロースアセテート繊維及びポリエステル繊維の複合糸である３５０デシテックスの吸湿速乾糸を用いて編機により製造した天竺編地を用いて、パットとシャツ本体を作成した。図２に示すように、該パットを該シャツの肩部分と脇の下部分に装着してインナーウェアを作成した。
【００４２】
（比較例１）
比較例１として、ポリエステル繊維１００％糸を用いて編機により製造した天竺編地を用いて、パットとシャツ本体を作成した。図２に示すように、該パットを該シャツの肩部分と脇の下部分に装着してインナーウェアを作成した。
【００４３】
（比較例２）
比較例２として、ポリエステル繊維１００％糸を用いてストレッチレースを製造した。また、親水機能を有するセルロースアセテート繊維及びポリエステル繊維の複合糸である１００デシテックスの吸湿速乾糸を３０％、ポリエステル繊維を７０％混用して製造した天竺編地を用い、ショーツ本体を作成した。該ショーツ本体及び前記ストレッチレースを用い、図１に示すようなショーツを作成した。
【００４４】
（比較例３）
比較例３として、レーヨン５０％、ナイロン４０％及びポリウレタン１０％を混用してストレッチレースを製造した。また、親水機能を有するセルロースアセテート繊維及びポリエステル繊維の複合糸である１００デシテックスの吸湿速乾糸を３０％、ポリエステル繊維を７０％混用して製造した天竺編地を用い、ショーツ本体を作成した。該ショーツ本体及び前記ストレッチレースを用い、図１に示すようなショーツを作成した。
【００４５】
（試験例１：下着における効果の評価）
実施例１乃至５、及び比較例１乃至３で作成したシャツ及びショーツを用い、吸湿性、速乾性、肌触り、耐洗濯性について年齢２５〜４０才までの女性２０人を無差別に選び、官能テストを行った。悪いを０、良いを５として数値評価させて、その平均値をとり、平均０〜２．９を×、３．０〜３．９を△、４．０〜５．０を○として評価した。尚、耐洗濯性については下着の着用と洗濯を５回繰り返して行い、その吸湿性、速乾性、肌触り、耐洗濯性について評価した。その結果を表１に示す。
【００４６】
【表１】
2008095246.tif 000003
【００４７】
表１に示された結果から、本発明に係る吸湿速乾糸を含有する下着の付属部分品及びこれらが付設される下着は、吸湿性能及び速乾性能に優れ、肌触りも良いものであることがわかった。また、繰り返しの洗濯でもその特性が低下せず、耐洗濯性もあることがわかった。
【００４８】
（試験例２：吸水拡散性の測定）
実施例１及び比較例１で作成したインナーウェアについて洗濯を２０回繰り返した後、バイレック法によって、パット部分の生地の経方向、緯方向から２００ｍｍ×２５ｍｍの試験片を夫々採取し、その下端を水に浸漬し、１０分間に上昇した水の高さを測定した。結果を図３に示す。
【００４９】
図３に示された結果から、本発明に係る吸湿速乾糸を含有する下着の付属部分品及びこれらが付設される下着は、吸水性能に優れるものであることがわかった。
【００５０】
（試験例３：吸水力性能の測定）
実施例１及び比較例１で作成したインナーウェアについて洗濯を２０回繰り返した後、ラローズ法によって、常に一定の水量を保つ容器の水面上にガラスフィルターを置き、その上にパット部分を載せて吸収される水分量を測定した。結果を図４に示す。
【００５１】
図４に示された結果から、本発明に係る吸湿速乾糸を含有する下着の付属部分品及びこれらが付設される下着は、吸水性能に優れるものであることがわかった。
【００５２】
（試験例４：水分消失速度の測定）
実施例１及び比較例１で作成したインナーウェアについて洗濯を２０回繰り返した後、ＪＩＳ  Ｌ1９０７に準拠して、水０．０４ｍｌをパット部分に滴下した水分が消失するまでの時間（秒）を測定した。結果を図５に示す。
【００５３】
図５に示された結果から、本発明に係る吸湿速乾糸を含有する下着の付属部分品及びこれらが付設される下着は、吸水性能に優れるものであることがわかった。
【００５４】
（試験例５：乾燥速度の測定）
実施例１及び比較例１で作成したインナーウェアについて洗濯を２０回繰り返した後、滴下法によって、水０．１ｍｌをパット部分に滴下した水分の経時変化による残存水分率を測定した。結果を図６に示す。
【００５５】
図６に示された結果から、本発明に係る吸湿速乾糸を含有する下着の付属部分品及びこれらが付設される下着は、速乾性能に優れるものであることがわかった。
【００５６】
（試験例６：模擬皮膚温度変化の測定）
実施例１及び比較例１で作成したインナーウェアについて洗濯を２０回繰り返した後、ランニングやテニスをしたときに相当する２．３３W／１００ｃｍ２の熱量及び０．５ｇ／１００ｃｍ２の発汗量（水分量）を、当該インナーウェアに１０分間与え、その後、休憩時に相当する０．５８W／１００ｃｍ２の熱量を１０分間与えた場合について、インナーウェアの温度変化を測定した。結果を図７に示す。
【００５７】
図７に示された結果から、本発明に係る吸湿速乾糸を含有する下着の付属部分品及びこれらが付設される下着は、温度上昇が少なく、心地よい涼感効果を奏するものであることがわかった。
【００５８】
（試験例７：制電性能の測定）
実施例１及び比較例１で作成したインナーウェアのパット部分について、JIS  L1094に準拠して、２０℃×４０％RHの環境下で、タテ方向及びヨコ方向を夫々綿布で擦った後の帯電圧を測定し、平均値を算出した。結果を表２に示す。
【００５９】
【表２】
2008095246.tif 000004
【００６０】
表２に示された結果から、本発明に係る吸湿速乾糸を含有する下着の付属部分品及びこれらが付設される下着は、摩擦帯電圧が低く、制電性能に優れるものであることがわかった。
【産業上の利用可能性】
【００６１】
優れた吸水性能及び速乾性能に加え、肌触りが良く、耐洗濯性にも優れた吸湿速乾糸を含有する下着の付属部分品及びこれらが付設される下着を提供することができる。
【図面の簡単な説明】
【００６２】
【図１】本発明に係るショーツの斜視図である。
【図２】本発明に係るインナーウェアの正面図である。
【図３】本発明に係るインナーウェアについての吸水拡散性の測定結果を示すグラフ図である。
【図４】本発明に係るインナーウェアについての吸水力の測定結果を示すグラフ図である。
【図５】本発明に係るインナーウェアについての水分消失速度の測定結果を示すグラフ図である。
【図６】本発明に係るインナーウェアについての乾燥速度の測定結果を示すグラフ図である。
【図７】本発明に係るインナーウェアについての模擬皮膚温度変化の測定結果を示すグラフ図である。
【符号の説明】
【００６３】
１          マチ部分
２          脇部分のパット
３          肩部分のパット
４          レース
５          コメット
６          ニードル
【図１】
2008095246.tif 000005
【図２】
2008095246.tif 000006
【図３】
2008095246.tif 000007
【図４】
2008095246.tif 000008
【図５】
2008095246.tif 000009
【図６】
2008095246.tif 000010
【図７】
2008095246.tif 000011